(57)【要約】【課題】埋め込み高さの小さい場所においても取り付け可能な埋込形照明器具を提供する。【解決手段】埋込型の照明器具１００は、器具本体１の外部に、端子台７と、端子台保持具８と、を備える。器具本体１の底面の延長方向に向けて、器具本体１に端子台保持具８を支持する。その他端は、端子台保持具８が可撓な方向に変位しうる。端子台保持具８の、変位しうる側に端子台７を保持し、端子台７は照明器具１００の取り付け方向と平行に変位しうる。取り付け面Ｂと内部面Ｕの高さが小さい場所であっても、照明器具１００を取り付けることができる。例えば埋込形照明器具として、図２に示す、ＧＸ５３口金の点灯回路内蔵蛍光ランプを用いることができる。【選択図】図２
2010219005.tif 000002
【特許請求の範囲】
【請求項１】
埋め込み式で用いる照明器具本体と、
前記照明器具本体に電力を供給する電力線を接続する端子台と、
前記照明器具本体に一端が支持され、前記照明器具本体の外側に突出する他端に前記端子台を備える部材であって、前記照明器具に支持される部分を支点に前記端子台を可動に保持する端子台保持具と、
を備えることを特徴とする埋込形照明器具。
【請求項２】
前記端子台保持具は、前記端子台を備えた側を、前記照明器具本体の取り付け方向に可動に保持することを特徴とする請求項１に記載の埋込形照明器具。
【請求項３】
前記端子台保持具は、可撓な材質で形成され、それ自身が撓んで前記端子台を可動に保持することを特徴とする請求項１または２に記載の埋込形照明器具。
【請求項４】
前記端子台は、前記電力線を外す解除ボタンを備え、
前記解除ボタンは、前記照明器具本体の取り付け方向と垂直な面以外の面に配置することを特徴とする請求項１ないし３のいずれか１項に記載の埋込形照明器具。
【請求項５】
ＧＸ５３ソケットを備えることを特徴とする請求項１ないし４のいずれか１項に記載の埋込形照明器具。
【発明の詳細な説明】
【技術分野】
【０００１】
本発明は、埋込形照明器具に関する。より詳しくは、端子台を照明器具本体の外側に備える埋込形照明器具に関する。
【背景技術】
【０００２】
２００７年より国内においてＧＸ５３口金の蛍光ランプが技術基準改正により認められることになった。ＧＸ５３口金の蛍光ランプは、インバータ内蔵電球を使用するので照明器具側にインバータが不要で、また、発光管を平面的に配置しており、薄型かつコンパクトなデザインとでき、ダウンライトや薄型のペンダントなどの照明として普及が進んでいる。
【０００３】
特許文献１においては、照明器具の、灯具に電圧を配給する点灯装置の他端に端子台を備え、点灯装置を回動可能にし、端子台が灯具の熱により劣化するのを防ぐことが記載されている。特許文献２や特許文献４においては、端子台を回転するなどして、端子台の電源線挿入面を天井側に対向しない向きに設け、粉塵がかかるのを防止することが記載されている。特許文献３においては、器具本体の内部上方に配置された端子台に移動可能な移動機構を備え、ランプ及び安定器からの熱による電源線の劣化を防止することが記載されている。特許文献５においては、端子台を移動可能にし、使用時は器具本体で覆う閉塞状態にすることで、ほこり等による絶縁破壊を防止することが記載されている。
【先行技術文献】
【特許文献】
【０００４】
【特許文献１】特開平０５−０２８８１９号公報
【特許文献２】特開平０９−２９８０１０号公報
【特許文献３】特開平１１−３１２４１４号公報
【特許文献４】特開平１１−３３９５４３号公報
【特許文献５】特開２００１−２７３８１２号公報
【発明の概要】
【発明が解決しようとする課題】
【０００５】
ＧＸ５３口金の蛍光ランプは、新しいタイプの蛍光ランプで、薄型かつコンパクトなデザインである。例えばダウンライトなどで使用する場合、照明器具本体は、天井内部に埋め込まれており、ランプを装着したときに、天井面とフラットになるように設計する。また、システムキッチンの吊り棚の下側などに採用される場合、できるだけ埋め込みの高さが小さいことが望ましいが、照明器具本体の高さ分は確保する必要がある。
【０００６】
上述した特許文献は、埋込形照明器具に備えられた端子台を、熱やほこりから保護するために、電源を接続する面の向きを変えたり、端子台そのものを移動させる技術が記載されている。
【０００７】
また、端子台に挿入する電源線などを熱から保護する方法として、図６（ａ）に示すように、端子台取付板を用いて、端子台を照明器具本体の外部に設ける技術が知られている。しかし実際には、図６（ｂ）に示すように、照明器具本体から外部にせり出した端子台を埋め込み場所に向け、照明器具本体を斜めに挿入しなければならず、照明器具本体の形状の一部に丸みを持たせたり、埋め込み場所と照明器具との間隙を多く設ける必要があり、形状の制限や、外観の問題が発生する。
【０００８】
端子台は必要不可欠の構成部材であるが、薄型の照明器具においては、照明器具本体の内部に備えることができず、照明器具本体の外側の、照明器具本体の埋め込み場所に対向する面に直接固定して設けることが多い。薄型であるＧＸ５３口金の蛍光ランプを用いても、端子台を照明器具本体の埋め込み場所に対向する面に備えた場合、照明器具全体の高さが高くなり、埋め込み高さの小さい場所によっては取り付けできないことがあった。
【０００９】
本発明は、上記事情に鑑みてなされたものであり、埋め込み高さの小さい場所においても取り付け可能な埋込形照明器具を提供することを目的とする。
【課題を解決するための手段】
【００１０】
上記目的を達成するため、本発明の第１の観点に係る埋込形照明器具は、
埋め込み式で用いる照明器具本体と、
前記照明器具本体に電力を供給する電力線を接続する端子台と、
前記照明器具本体に一端が支持され、前記照明器具本体の外側に突出する他端に前記端子台を備える部材であって、前記照明器具に支持される部分を支点に前記端子台を可動に保持する端子台保持具と、
を備えることを特徴とする。
【発明の効果】
【００１１】
本発明によれば、埋め込み高さの小さい場所においても取り付け可能である。
【図面の簡単な説明】
【００１２】
【図１】本発明の実施の形態に係るＧＸ５３口金の蛍光ランプを用いた埋込形照明器具の平面図である。
【図２】実施の形態に係る埋込形照明器具の断面図で、図１のＭ−Ｍ線断面を表したものである。
【図３】実施の形態に係る埋込形照明器具の構成概略図で、埋め込み前の照明器具を側面から見た場合である。
【図４】実施の形態に係る端子台の斜視図である。
【図５】実施の形態に係る埋込形照明器具を埋め込み場所に装着する手順を示す概略図である。（ａ）〜（ｃ）は装着する途中の段階を示し、（ｄ）は装着した様子を示す。
【図６】関連する技術の埋込形照明器具の断面図である。（ａ）は照明器具を埋め込み場所に装着した時、（ｂ）は装着する途中を示す。
【発明を実施するための形態】
【００１３】
以下、この発明の実施の形態について図面を参照しながら詳細に説明する。なお、図中同一または相当部分には同一符号を付す。
【００１４】
実施の形態において、埋込形照明器具はＧＸ５３口金の蛍光ランプの場合を例に挙げて説明する。光源の種類によっては、照明器具の高さが取付場所の埋め込み高さよりも高いために埋め込めずに外付けにせざるを得なかったり、過熱するおそれがあった。ＧＸ５３口金の蛍光ランプは、これらの問題を解消し、埋め込み高さの小さい場所にも対応できる薄型の埋込形照明器具として用いることができ、本発明の効果がより期待できる。
【００１５】
（実施の形態）
図１は、本発明の実施の形態に係るＧＸ５３口金の蛍光ランプを用いた埋込形照明器具の平面図である。図２は、実施の形態に係る埋込形照明器具の断面図で、図１のＭ−Ｍ線断面を表したものである。図３は、実施の形態に係る埋込形照明器具の構成概略図である。埋め込み場所に装着する前の埋込形照明器具を側面から見た場合について簡潔に示している。図４は、実施の形態に係る端子台を示す概略斜視図である。
【００１６】
先に、埋め込み場所について説明する。照明器具を取り付ける面を取り付け面Ｂ、照明器具１００を取り付け面Ｂに埋め込む部分を埋め込み孔Ｃとする。埋め込み孔Ｃは、照明器具１００の器具本体１の大きさに合わせて設けられる。埋め込まれた照明器具１００の底面部に対向する面を内部面Ｕとする。
【００１７】
照明器具１００を埋め込み孔Ｃに埋め込みした状態、すなわち取り付け面Ｂに取り付けた状態のとき、照明器具１００の底面と内部面Ｕで囲まれた空間を空間Ｓ１、空間Ｓ１の中で照明器具１００と内部面Ｕの最も接近する部分の間隙の大きさを高さＨ１とおく。取り付け面Ｂと内部面Ｕで囲まれた空間を空間Ｓ２、その間隙の大きさを高さＨ２とおく。高さＨ２より照明器具１００の厚みが小さい場合、照明器具１００を埋め込み孔Ｃに埋め込むと、照明器具１００を取り付け面Ｂにフラットな状態に埋め込むことができる。
【００１８】
照明器具１００は、器具本体１と、蛍光ランプ２と、発光管３と、安定器４と、フランジ形電極５と、ソケット６と、を備える。また、器具本体１の外部に、端子台７と、端子台保持具８と、を備える。
【００１９】
照明器具１００の器具本体１に蛍光ランプ２を取り付けたとき、器具本体１と蛍光ランプ２とは、ほとんど間隙がない状態で嵌合する。照明器具１００は、例えば天井などの取り付け面Ｂに埋め込まれ、取り付け面Ｂと蛍光ランプ２はフラットな状態となる。
【００２０】
蛍光ランプ２は、Ｕ字の形状の発光管３を内部に備える。蛍光ランプ２は、安定器４が内蔵されたＧＸ５３口金の形状で、器具本体１に安定器を備える必要がなく、照明器具１００全体の高さを低くすることができる。
【００２１】
蛍光ランプ２は、器具本体１の底面部に備えられたソケット６に取り付けられる。ソケット６は、蛍光ランプ２の２つのフランジ形電極５に対応する位置にダルマ穴が開けられており、フランジ形電極５を嵌合させることで、蛍光ランプ２を器具本体１に取り付けることができる。同時に、蛍光ランプ２と照明器具本体１を電気的に接続することができる。
【００２２】
照明器具１００は、器具本体１と外部電源を接続するための、端子台７を備える。端子台７は、図４に示すように、外部の電源線を挿入するための電源線挿入口７１と、挿入した電源線を端子台７から外すための解除ボタン７２を備える。解除ボタン７２が、内部面Ｕに対向する面以外の面に向くように端子台７を備えることで、照明器具１００を埋め込む際に接触するおそれがなく、電源線が解除されるのを防ぐ。
【００２３】
端子台保持具８は、その先端に端子台７を備え、他端は器具本体１に支持されている。端子台７は、端子台保持具８を介して、器具本体１と外部とを電気的に接続する。端子台保持具８は、金属製で可撓性を有する。例えば、鉄を主成分にする合金で、Ｎｉ（ニッケル）８〜１０％とＣｒ（クロム）１８〜２０％を含有したオーステナイト系ステンレスなどで形成される。
【００２４】
図３に示すように、端子台保持具８は、器具本体１の外部に留め具８１で支持され、その他端は端子台保持具８が可撓な方向に変位しうる。端子台保持具８の変位しうる側に、端子台７を固定して保持する。端子台保持具８に直接負荷が加わった場合だけでなく、何らかの負荷が加わることにより端子台７が変位した場合にも、端子台保持具８は、留め具８１から端子台７を備えた側の部分が曲折し撓むことがある。
【００２５】
図５は、実施の形態に係る埋込形照明器具を埋め込み場所に装着する手順を示す概略図である。図５（ａ）、図５（ｂ）、図５（ｃ）は装着する途中の段階を示し、図５（ｄ）は装着した様子を示す。
【００２６】
照明器具１００を取り付けるとき、まず、器具本体１の外部にせり出した端子台７を埋め込み孔Ｃに差し入れて、器具本体１を斜めに挿入する。この様子を図５（ａ）に示す。
【００２７】
次に、器具本体１を埋め込み孔Ｃに埋め込む。より詳しくは、器具本体１を埋め込み孔Ｃに対してできるだけ垂直に起こし、挿入する。端子台保持具８が硬性材料で形成されて変形しない場合（曲折しない場合）を図５（ｂ）中に点線で示す。端子台保持具８が変形しない場合は、端子台保持具８が埋め込み孔Ｃに掛かり、端子台保持具８を備えた側の器具本体１の側面と、埋め込み孔Ｃの間隙を限りなく小さくすることができず、器具本体１を埋め込み孔Ｃに挿入できない。挿入するためには、器具本体の形状の一部に丸みを持たせたり、埋め込み孔Ｃを大きくして器具本体１との間隙を多くするなど、形状の制限や、外観の問題が発生する。
【００２８】
図５（ｂ）に示す端子台保持具８は、力を負荷することで変形可能であり、端子台保持具８は留め具８１の位置を支点として、空間Ｓ２から空間Ｓ１の方向に向けて曲折する。そのため、端子台保持具８を備えた側の器具本体１の側面と、埋め込み孔Ｃの間隙を小さくでき、器具本体１を埋め込み孔Ｃに対してほぼ垂直に起こして挿入することができる。
【００２９】
図５（ｃ）は、図５（ｂ）と同様に、徐々に器具本体１を起こし、埋め込み孔Ｃに器具本体１を挿入する様子を示す。高さＨ２が小さく、埋め込み場所の内部面Ｕと取り付け面Ｂが近い場合においては、端子台保持具８が埋め込み孔Ｃに当たり、かつ、端子台７が内部面Ｕに当たる場合も有り得る。図５（ｃ）のように、端子台保持具８が曲折や撓むなどして変形することで、器具本体１を埋め込み孔Ｃに挿入することが可能となる。
【００３０】
図５（ｄ）は、取り付け面Ｂの埋め込み孔Ｃに、器具本体１を取り付けたときの様子を示す。図示したように、埋め込み場所の高さＨ２が小さい場合、内部面Ｕと端子台７が接触し、常に端子台７は内部面Ｕからの負荷を受ける。端子台保持具８が変形し、先端に固定された端子台７の位置を変位させることで、取り付け面Ｂにフラットな状態で照明器具１００を取り付け可能となる。
【００３１】
器具本体１の底面部に直に端子台７を備える場合は、少なくとも、照明器具１００と内部面Ｕの最も接近する部分の間隙の高さＨ１（図２参照）は、端子台７本体の高さより大きくなければならなかった。しかし本実施の形態では、端子台保持具８の端子台取付部が支持部を支点に変位しうるので、高さＨ１は端子台７本体の高さより小さくてもよい。高さＨ１が限りなくゼロに等しい場合であっても、端子台保持具８の形状や材質によっては、照明器具１００を取り付け面Ｂにフラットな状態となるように取り付け可能である。
【００３２】
以上、説明したように、本実施の形態によれば、端子台保持具８を備えることで、端子台７を移動可能にし、器具本体１の側面の垂直方向に移動させることで、照明器具１００の高さを器具本体１の高さとほぼ同じにでき、照明器具１００の高さを抑えることができる。そのため、埋め込み高さの小さい場所においても取り付け可能な照明器具を提供することができる。
【００３３】
本実施の形態においては、端子台保持具８に取り付ける端子台７を、内部面Ｕ側に対向するように設置している。器具本体１の高さと端子台７本体の高さの差が小さい場合は、内部面Ｕ側に対向するように端子台７を設置することで、端子台保持具８の変形度合いが小さくて済むので好ましい。但し、端子台保持具８が変形し、照明器具１００を取り付け面Ｂに取り付け可能であれば、取り付け面Ｂに対向するように端子台７を設置してもよい。端子台７を取り付け面Ｂ側に設置する場合は、取り付け面Ｂに対向する面以外の面に、解除ボタン７２が配置されるように取り付ける。器具本体１の高さと端子台７本体の高さの差が大きい場合は、取り付け面Ｂ側、内部面Ｕ側のどちらに端子台７を備えてもよい。
【００３４】
また、蛍光灯以外に、白熱電球、発光ダイオードまたはハロゲンランプなどを発光管とする埋込形照明器具にも適用できる。光源の種類だけでなくソケットについても、上述した例（ＧＸ５３ソケット）に限らず適用可能である。特に、埋め込み高さと照明器具の高さがほぼ等しく、照明器具底面部から内部面までの高さが小さい場合において、本発明は効果的である。さらに、取り付け面から内部面までの高さが小さい場合であって、ソケットと発光管を合わせた高さが小さい埋込照明器具に適用する場合に効果が大きい。
【００３５】
その他、前記の埋込形照明器具の形状や種類、端子台保持具の形状や材質や取り付ける位置などは一例であり、任意に変更および修正が可能である。
【００３６】
その他、本発明の好適な変形として、以下の構成が含まれる。
【００３７】
本発明の観点に係る埋込形照明器について、好ましくは、前記端子台保持具は、前記端子台を備えた側を、前記照明器具本体の取り付け方向に可動に保持することを特徴とする。
【００３８】
好ましくは、前記端子台保持具は、可撓な材質で形成され、それ自身が撓んで前記端子台を可動に保持することを特徴とする。
【００３９】
好ましくは、前記端子台は、前記電力線を外す解除ボタンを備え、
前記解除ボタンは、前記照明器具本体の取り付け方向と垂直な面以外の面に配置することを特徴とする。
【００４０】
さらに好ましくは、ＧＸ５３ソケットを備えることを特徴とする。
【符号の説明】
【００４１】
１  器具本体
２  蛍光ランプ
３  発光管
４  安定器
５  フランジ形電極
６  ソケット
７  端子台
８  端子台保持具
９  端子台取付板
７１  電源線挿入口
７２  解除ボタン
８１  留め具
１００  照明器具
Ｂ  取り付け面
Ｃ  埋め込み孔
Ｕ  内部面
【図１】
2010219005.tif 000003
【図２】
2010219005.tif 000004
【図３】
2010219005.tif 000005
【図４】
2010219005.tif 000006
【図５】
2010219005.tif 000007
【図６】
2010219005.tif 000008